(57)【要約】【課題】  壁面や柱の取付対象の形態や材質を問わずにこれら正面に対して可及的簡易な構造にして簡易な作業によってロープを安定保持することによってその長手方向中間垂れ下がりを防止し得るようにする。【解決手段】  金属線材を曲げ加工することによって，ボルト部２１から正面側に突出してロープ４の長手方向片側に向けて傾斜螺旋状に略１．５回転することによって取付基部側の略１回転の受用ループ部２３と先端側略半回転の引掛け用ループ部２４とによる傾斜螺旋部２２を形成した中間垂れ下り防止用フック２を形成し，これを所定間隔に起立した柱１に設置して，各ループ２３，２４を挿通するようにロープ４を回して該フック２に保持することによって長尺のロープ４における中間の垂れ下りを防止するように用いる。【選択図】        図３
2005344758.tif 000002
【特許請求の範囲】
【請求項１】
壁面乃至柱に対する取付基部と，該取付基部から正面側に突出してロープ等の長手方向片側に向けて傾斜螺旋状に略１．５回転することによって取付基部側略１回転のロープ等受用ループ部と先端側略半回転のロープ等引掛け用ループ部とによる傾斜螺旋部とを備えてなることを特徴とするロープ等の中間垂れ下り防止フック。
【請求項２】
上記取付基部と傾斜螺旋部を，曲げ加工したアルミ，スチール等の金属線材によって形成してなることを特徴とする請求項１に記載のロープ等の中間垂れ下り防止フック。
【発明の詳細な説明】
【技術分野】
【０００１】
本発明は壁面乃至柱に対して吊り設置したロープ等の中間の垂れ下りを防止するように該ロープ等を引掛け保持するロープ等の中間垂れ下り防止フックに関する。
【背景技術】
【０００２】
例えば，人の誘導用に使用されるスペースガードのように，据置式のポール柱両側面にリング状のフックを設置し，該フックに装飾ロープ長手方向端部金具を引掛支持して誘導路を形成するようにしたもの，公園等で使用されるチェーン柵のように，同じく埋込式の合成樹脂擬木ポール柱両側面に同様にリング状のフックを設置し，同じく該フックに金属製のチェーン長手方向端部を引掛支持して柵を形成するようにしたもの，また山中で鹿の侵入を防止するように使用される現場施工の防鹿柵のように，所定ピッチに配置した木製柱にネットを張設するに際して，ネットの上下や中間に配置したネット支持用のロープやワイヤーを各木製柱との交差位置で釘止めすることによって中間の垂れ下りを防止して該ロープ等を架設して，ネットの定位置張設を行なうもの等が知られている。
【０００３】
【非特許文献１】東洋エクステリア株式会社  昭和６２年１月１日発行                      ’８７総合カタログ  ３１６頁  移動式スタンドポール
【発明の開示】
【発明が解決しようとする課題】
【０００４】
上記スペースガードやチェーン柵のようにポール柱の側面にフックを設置したものは，装飾を兼ねてポール柱間に設置するロープやチェーンを垂れ下り状に支持するものとされるとともに正面側にフックを備えないから，これらを用いても中間垂れ下りを防止して長尺一連のロープ，ワイヤー，チェーン等（以下ロープ等という）を架設することができないし，また防鹿柵は木製柱との交差位置でその正面側に釘止めするものとされるから，長尺一連のロープ等における中間の垂れ下りを防止し得るとしても，その釘止め作業は，一般に木製柱を起立した後に隣接する木製柱に対してロープ等の位置決めを行った後に，その長手方向に各木製柱毎に順次ハンマーによる釘の打込みと曲げを行なってロープ等を釘押さえする煩雑な作業を必要とし，特に上記ネットの張設のためにロープ等を使用するときにはネットの重量を持ち上げ支持しながらの作業を必要とすることになって更に煩雑な作業を必要とする結果となり，また木製のもの以外にアルミ，スチール等金属やその他の材料による壁面や柱に対しては，釘止めができないことから，これらにおけるロープ等の中間の垂れ下りを防止することができないという問題点が残されている。
【０００５】
本発明はこのような事情に鑑みてなされたもので，壁面や柱の取付対象の形態や材質を問わずにこれら正面に対して可及的簡易な構造にして簡易な作業によってロープ等を安定保持することによってその長手方向中間垂れ下がりを防止し得るようにしたロープ等の中間垂れ下り防止フックを提供するにある。
【課題を解決するための手段】
【０００６】
上記課題に沿って本発明は，壁面乃至柱の正面に取付可能とした取付基部と，正面側に傾斜螺旋状に略１．５回転した傾斜螺旋部とを備え，該傾斜螺旋部の取付基部側に略１回転のロープ等受用ループ部を，その回転方向先端側の略半回転のロープ等引掛け用ループ部を配置することによって，ロープ等と壁面所定位置乃至柱との交差位置で，例えばロープ等引掛け用ループ部の先端を下向きに配置したとき，ロープ等をロープ等受用ループ部の下側に置いて，引掛け用ループ部に上側から裏側を回すように下向きに回転することによって引掛け操作して，該ロープ等を上記ロープ等受用ループ部内に挿通保持するようにし，また上記ロープ等引掛け用ループ部の先端を上向きに配置したとき，逆にロープ等をロープ等受用ループ部の上側に置いて，ロープ等引掛け用ループ部に下側から裏側を回して上向きに回転することによって引掛け操作して，該ロープ等を上記ロープ等受用ループ部とロープ等引掛け用ループ部の双方に挿通保持するように用いることによって，傾斜螺旋部においてロープ等を保持してその長手方向中間の垂れ下りを防止するようにしたものであって，即ち請求項１に記載の発明を，壁面乃至柱に対する取付基部と，該取付基部から正面側に突出してロープ等の長手方向片側に向けて傾斜螺旋状に略１．５回転することによって取付基部側略１回転のロープ等受用ループ部と先端側略半回転のロープ等引掛け用ループ部とによる傾斜螺旋部とを備えてなることを特徴とするロープ等の中間垂れ下り防止フックとしたものである。
【０００７】
請求項２に記載の発明は，上記に加えて，アルミ，スチール等の金属線材によって簡易に工場生産し得るとともに耐久性に富んだフックとし得るように，これを，上記取付基部と傾斜螺旋部を，曲げ加工したアルミ，スチール等の金属線材によって形成してなることを特徴とする請求項１に記載のロープ等の中間垂れ下り防止フックとしたものである。
【発明の効果】
【０００８】
本発明は以上のとおりに構成したから，請求項１に記載の発明は，壁面や柱の取付対象の形態や材質を問わずにこれら正面に対して可及的簡易な構造にして簡易な作業によってロープ等を安定保持することによってその長手方向中間垂れ下がりを防止し得るようにしたロープ等の中間垂れ下り防止フックを提供することができる。このときロープ等は該フックのロープ等受用ループ部内乃至これとロープ等引掛け用ループ部の双方に下支え状に挿通保持されることによって，ロープ等の安定保持は中間垂れ下り防止フックのループ内を通る状態になされる結果，ロープ等が中間垂れ下り防止フックから外れる可能性を可及的に解消したものとすることができる。
【０００９】
請求項２に記載の発明は，上記に加えて，アルミ，スチール等の金属線材によって簡易に工場生産し得るとともに耐久性に富んだフックとすることができる。
【発明を実施するための最良の形態】
【００１０】
以下図面の例に従って本発明を更に具体的に説明すれば，Ａは例えば柵，特に防鹿柵であり，該防鹿柵Ａは，所定間隔に多数設置した柱１にネット３を吊り支持することによって，例えば２ｍ程度の高さにして幅方向に連続する柵を形成することによって，山中にこれを設置して鹿の侵入を防止する鹿除けとして用いるものとしてあり，該防鹿柵Ａの上記柱１は，例えばアルミ押出形材を加工したアルミ製のものとし，その下端に嵌合固定した差込用脚部１２を地中に埋込んでその起立を行い，ネットＡは，例えば合成繊維製のロープをメッシュ状に編んで，上記柱１と略同等の高さと複数本，本例にあっては多数本の柱１間に亘るように長尺にして所定の幅を有するものとしてあり，該ネット３は，その吊り支持をネット３上端位置，高さ方向中間位置及び下端位置でネット３を表裏で縫うように配置したロープ等４を柱１に保持することによってその吊り支持を行ったものとしてある。
【００１１】
このときロープ等４は，例えば合成繊維製のロープや金属製の撚りワイヤーを用い，ネット３の幅に応じてその端部に起立配置された柱１にロープ等４の位置に応じて上下方向に設置した，例えばリング状の取付フック１４に該ロープ等４の長手方向両端部を結束してその端部固定を行なう一方，ロープ等４の長手方向中間位置にあっては，これに交差する位置に起立配置された各柱１に同じく上下方向に設置した，上端及び中間位置の中間垂れ下り防止フック２，下端位置のリング状の取付フック１４によって中間保持して架設し，該ロープ等４を介して上記ネット３の吊り支持を行ってある。
【００１２】
中間垂れ下り防止フック２は，壁面乃至柱，本例にあっては上記アルミ製の柱１に対する取付基部２１と，該取付基部２１から正面側に突出してロープ等４の長手方向片側に向けて傾斜螺旋状に略１．５回転することによって取付基部側略１回転のロープ等受用ループ部２３と先端側略半回転のロープ等引掛け用ループ部２４とによる傾斜螺旋部２２とを備えたものとし，本例の該フック２は，上記取付基部２１と傾斜螺旋部２２を，曲げ加工したアルミ，スチール等の金属線材，本例にあってはアルミの金属線材によって形成したものとしてある。
【００１３】
本例にあって中間垂れ下り防止フック２は，例えば１ｃｍ弱程度とした比較的太いアルミ押出材に切断加工，ネジ切り加工，曲げ加工等所定の加工を施すことによってこれを形成したものとしてあり，本例の取付基部２１は，軸外周に雄ネジを刻設し，例えば柱１の正面に埋込設置したナット２５に螺入することによって柱１に取り付けるようにした螺装用のボルト部によるものとしてある。
【００１４】
本例にあって上記傾斜螺旋部２２は，上記螺装用のボルト部の軸を正面側に向けて突出することによって柱１から幾分離隔した位置で略１回転の上記ロープ等受用ループ部２３と，これに連続する略半回転のロープ等引掛け用ループ部２４をロープ等４の長手方向片側に向けて傾斜螺旋状に湾曲するように曲げ加工を施すことによって一連且つ一体の螺旋部材として形成したものとしてある。
【００１５】
中間垂れ下り防止フック２は，本例にあって柱１の上端位置及び中間位置に設置したナット２５に雄ネジ部分を螺入することによって，ロープ等引掛け用ループ部２４の先端を下向き又は上向きとするように柱１の正面側に設置してロープ等４を中間保持するために使用するものとしてある。
【００１６】
ロープ等引掛け用ループ部２４を下向きとするとき，図３に仮想線で示すようにロープ等４をロープ等受用ループ部２３の下側に置いて，ロープ等引掛け用ループ部２４に上側から裏側を回するように下向きに回転することによって引掛け操作して，該ロープ等４を上記ロープ等受用ループ部２３内に挿通保持するようにして，中間垂れ下がり防止フック２による保持を行うようにしてある。
【００１７】
また上記ロープ等引掛け用ループ部２４の先端を上向きとするとき，図４に同じく仮想線で示すように，逆にロープ等４をロープ等受用ループ部２３の上側に置いて，ロープ等引掛け用ループ部２４に下側から裏側を回すように上向きに回転することによって引掛け操作して，該ロープ等４を上記ロープ等受用ループ部２３とロープ等引掛け用ループ部２４の双方に挿通保持するようにして，同様に中間垂れ下がり防止フック２による保持を行うようにしてある。
【００１８】
このときロープ等４は，予め長手方向両端を柱１に固定した後に，中間垂れ下がり防止フック２位置でロープ等４の弛みや伸びを利用して該部分を上記ロープ等受用ループ部２３の上又は下に置き，ロープ等引掛け用ループ部２４を回すようにすれば，ロープ等４を架設した状態のままで各中間垂れ下り防止フック２に対してその挿通保持を行なうことができる。
【００１９】
本例のロープ等４は，例えば，事前にネット３の上端及び中間位置に配置して，ネット３と一緒に柱１上方に持ち上げて，その各ロープ等４を両端部の柱１の上記リング状の取付フック１４に固定して，ネット３の仮の吊り支持を行い，その後にロープ等４をそれぞれ各柱１の上端及び中間位置に設置した中間垂れ下り防止フック２に対して挿通保持するようにし，また下端のロープ等４は，例えば，事後にネット３の下端位置に配置して，両端部の柱１及びその間の柱１にそれぞれ固定するものとしてあり，本例の該下端位置におけるロープ等４は，一方端の柱１の下端に直接に結束し，また両端部の柱１間に起立した柱１下端に設置したリング状の取付フック１４に順次潜るように通してこれらを通過させ，その後に他方端の柱１に直接に結束することによってその固定を行なうようにしてあり，本例にあって該下端位置のロープ等４は，これを該柱１間のアンカー５によって適宜ピッチで地表に固定してあり，これによって防鹿を行なう防鹿柵Ａのネット３としてその安定設置をなし得るようにしてある。
【００２０】
図中１１は柱１のキャップ，１３は該柱１と差込用脚部１２との固定用ボルトをそれぞれ示す。
【００２１】
図示した例は以上のとおりとしたが，壁面乃至柱に対する取付基部をこれらに面接して，例えば釘，ネジ，接着材等によってこれらに固定可能とした面乃至板状のものとすること，このとき取付基部から，例えば金属線材による傾斜螺旋部の突出を，溶着，裏面からのネジ止め等適宜の固定手段によるものとすること，傾斜螺旋部におけるロープ等受用ループ部及びロープ等引掛け用ループ部を全体的にロープ等の長手方向片側に向けて傾斜し又は部分的に傾斜したものとすること，取付基部と傾斜螺旋部とを一体成形した線状の樹脂製のものとすること，ロープ等架設対象を繊維系のロープ，ワイヤー，チェーン等長尺の紐乃至線材のものとすること，ネット等の吊り支持用以外にロープ等を単独で架設して中間垂れ下り防止フックでその保持を行なって，垂れ下りを防止するようにすること等を含めて，本発明の実施に当って，中間垂れ下り防止フック，その取付基部，傾斜螺旋部，ロープ等受用ループ部，ロープ等引掛け用ループ部，ロープ等，必要に応じて用いる金属線材等の各具体的材質，形状，構造，用途，これらの関係，これらに対する付加等は，上記発明の要旨に反しない限り様々な形態のものとすることができる。
【図面の簡単な説明】
【００２２】
【図１】防鹿柵の正面図である。
【図２】中間垂れ下り防止フックを設置した柱の側面図である。
【図３】図２の中間垂れ下り防止フックとロープ等との関係を示す拡大正面図である。
【図４】他の設置形態の中間垂れ下り防止フックとロープ等との関係を示す拡大正面図である。
【符号の説明】
【００２３】
Ａ  防鹿柵
１  柱
２  中間垂れ下り防止フック
３  ネット
４  ロープ等
２１  取付基部
２２  傾斜螺旋部
２３  ロープ等受用ループ部
２４  ロープ等引掛け用ループ部
【図１】
2005344758.tif 000003
【図２】
2005344758.tif 000004
【図３】
2005344758.tif 000005
【図４】
2005344758.tif 000006